(57)【特許請求の範囲】
【請求項１】
ベスト型のバッグ（１０）を、自動的なパッキングプロセスで、自動的に処理するための装置であって、前記バッグは各々の握り部がループの形状をしている２つの握り部を備え、前記ループは前記握り部の一端部で接続された２つの片により構成され、前記装置は２つの指部対であって、各指部対は握り部と関連し、各指部対の指部は互いに平行に延び、前記指部（２２）は、バッグの開口方向に沿った指部（２２）間のスペースを広げるように互いに離れる方向に移動するように配設されており、
ここにおいて、前記装置は、前記指部対を各握り部（１４）の前記片間に挿入し、そして、指部（２２）をバッグの開口方向に離すように動かして、前記バッグの開口方向で握り部（１４）の前記片を互いに離すように配設され、
さらに、前記装置は、夫々の握り部（１４）のループの中への挿入のための少なくとも１つの押しプレート（５８）を具備し、前記押しプレートは、握り部（１４）を引っ張って側部をバッグの開口方向に拘束するように、バッグの開口方向に実質的に垂直な方向で前記指部対から離れるように、移動可能であることを特徴とする装置。
【請求項２】
前記握り部（１４）の各々の片と係合するための吸引手段（２４）を更に具備し、この吸引手段は、前記指部（２２）が挿入される前に、前記片を離すように握り部（１４）の各片を掴むように構成されている請求項１の装置。
【請求項３】
この装置は、フイルム材の２つのシートで構成され、剛性でない形状を有するベスト型のバッグ（１０）を処理するための手段を備えている請求項１又は２の装置。
【請求項４】
この装置は、前記２つのシートが実質的に近接し、前記バッグ（１０）が、物品を受け入れられない閉じた形態の時に、各指部対の前記指部（２２）を挿入するための手段と、前記２つのシートが実質的に離されて前記バッグ（１０）が物品を受け入れるように開いている開口形態へと、前記バッグ（１０）をもたらすように分離できる各指部対の指部（２２）を備える請求項３の装置。
【請求項５】
この装置は、自動的な取扱いが可能なように、開いているバッグに一時的な剛性を与えるための手段を備える請求項１乃至４のいずれか１の装置。
【請求項６】
各指部対の前記指部（２２）は、各指部対の前記指部（２２）が握り部（１４）中に挿入されている第１のポジションと、各指部対の前記指部（２２）が前記握り部のループをバッグ（１０）から外方に引っ張っている第２のポジションとの間で、移動可能である請求項１乃至５のいずれか１の装置。
【請求項７】
前記第１のポジションは、前記第２のポジションに対して実質的に垂直である請求項６の装置。
【請求項８】
前記第１のポジションは、ほぼ水平なポジションであり、また、前記第２のポジションは、ほぼ垂直なポジションである請求項６又は７の装置。
【請求項９】
各指部対の前記指部（２２）は、前記バッグの開口方向に実質的に平行に延びている軸を中心として、前記第１のポジションと第２のポジションとの間で回動可能である請求項６乃至８のいずれか１の装置。
【請求項１０】
前記指部（２２）が装着された回動可能な部分を有するキャリッジを具備する請求項９の装置。
【請求項１１】
前記キャリッジは、更に、前記回動可能な部分に接続され、この装置の案内部材（４２）のカムトラック（４４）と共働するローラを有し、前記カムトラック（４４）は、前記案内部材に沿った前記キャリッジ（３４）の移動が、前記第１のポジションから第２のポジションへの前記指部の回動を生じさせるように、配設されている、請求項１０の装置。
【請求項１２】
この装置は、前記指部（２２）の下方への動きにより、バッグをコンテナの方向である下方へと動かす手段を備えており、第１のポジションから第２のポジションへの前記指部の動きは、前記下方への動きによりなされる、請求項６乃至１１のいずれか１の装置。
【請求項１３】
前記握り部を引っ張って、握り部の側部を前記バッグの開口方向に強制的に動かすための手段を更に具備する請求項１乃至１２のいずれか１の装置。
【請求項１４】
前記押しプレート（５８）は、夫々の握り部（１４）がループ中に挿入され、各指部対の前記指部（２２）が前記第２のポジションにあるときに、前記指部（２２）から離れるように移動されるように構成されている請求項６乃至１３のいずれか１の装置。
【請求項１５】
この装置は、コンテナ（１６）内に開いたバッグ（１０）配置させる手段をさらに備え、前記コンテナ（１６）は開いた形状でバッグ（１０）を支持する手段を備える、請求項１乃至１４のいずれか１の装置。
【請求項１６】
この装置は、前記コンテナ（１６）の規定された複数の凹所中に前記少なくとも１つの握り部（１４）の側部を挿入する手段をさらに備える請求項１３又は１４に従属した請求項１５の装置。
【請求項１７】
互いに離間して、間にバッグ受け領域を規定している起立した第１及び第２の脚部（３０）を有するフレームと、
前記第１の脚部（３０）に装着された第１の対の指部（２２）と、
前記第２の脚部（３０）に装着された第２の対の指部（２２）と、を具備し、
前記脚部（３０）は、これら脚部（３０）をバッグ（１０）に対して内方及び外方に動かすように、バッグの開口方向に実質的に平行に延びている夫々の軸を中心として回動するための手段を備え、また、前記脚部（３０）の内方の動きにより、夫々の対の指部（２２）は、各々がバッグ（１０）の夫々の握り部（１４）の前記片間に挿入される請求項１乃至１６の何れかの装置。
【請求項１８】
請求項１乃至１７のいずれか１の装置を具備するベスト型のバッグ（１０）の中に物品を詰めるためのパッキングライン。
【請求項１９】
請求項１８のパッキングラインを具備するパッキング設備。
【請求項２０】
ベスト型のバッグ（１０）を、自動的なパッキングプロセスで、自動的に処理するための方法であって、前記バッグ（１０）は各々の握り部がループの形状をしている２つの握り部を備え、前記ループは前記握り部（１４）の一端部で接続された２つの片により構成され、そして、前記方法は、
自動化バッグ処理装置の少なくとも２つの指部（２２）備える指部対を各握り部（１４）の前記片間に挿入することと、
各指部対の前記指部（２２）を、バッグの開口方向で握り部（１４）の前記片相互を離すように、バッグの開口方向で互いに離すように移動させることと、
前記握り部（１４）のループ中に押しプレート（５８）を挿入することと、前記握り部（１４）を張るように引っ張り、かつ、握り部（１４）の側部を前記バッグの開口方向に拘束するように、前記バッグの開口方向に実質的に垂直な方向で、各指部対の前記指部（２２）から離れるように前記押しプレートを動かすこととを具備する方法。
【請求項２１】
前記指部（２２）が片間に挿入する前に、吸引手段により握り部（１４）の前記片相互を引き離すことを更に具備する請求項２０方法。
【請求項２２】
バッグ（１０）の自動化された取扱いを可能にするように、各指部対の前記指部（２２）により開口されたバッグ（１０）に一時的な剛性を与えることを具備する請求項２０又は２１の方法。
【請求項２３】
バッグ（１０）から握り部のループを外方に引っ張るように、各指部対の前記指部（２２）を第１のポジションから第２のポジションへと移動させることを具備する請求項２０乃至２２の何れかの方法。
【請求項２４】
前記第１のポジションは、前記第２のポジションに対して実質的に垂直である請求項２３の方法。
【請求項２５】
前記第１のポジションは、ほぼ水平なポジションであり、また、前記第２のポジションは、ほぼ垂直なポジションである請求項２３又は２４の方法。
【請求項２６】
前記指部（２２）を第１のポジションから第２のポジションへと移動させることは、前記バッグの開口方向に実質的に平行に延びている軸を中心として前記指部（２２）を回動させることを含む請求項２３乃至２５のいずれか１の方法。
【請求項２７】
前記指部（２２）を動かすことにより、開口した前記バッグ（１０）をコンテナ（１６）中へと下方に動かすことを更に具備し、この指部（２２）の下方へ動かすことは、カム機構（４４）を介して前記第１のポジションから第２のポジションへ前記指部（２２）の動きを果たす請求項２３乃至２６のいずれか１の方法。
【請求項２８】
前記握り部（１４）が張るように引っ張ることと、握り部（１４）の側部を前記バッグの開口方向に強制的に動かすこととを更に具備する請求項２０乃至２７のいずれか１の方法。
【請求項２９】
前記指部（２２）が、前記第２のポジションにあるときに、前記夫々の握り部（１４）のループ中に押しプレート（５８）を挿入することを具備する請求項２３乃至２８のいずれか１の方法。
【請求項３０】
開口した形態でバッグ（１０）を支持するように構成されたコンテナ（１６）の中に、開口したバッグ（１０）を配置させることを更に具備する請求項２０乃至２９のいずれか１の方法。
【請求項３１】
前記コンテナ（１６）に形成された夫々の凹所中に、前記少なくとも１つの握り部（１４）の強制的に動かされた側部を挿入することを更に具備する請求項２８又は２９に従属した請求項３０の方法。
【請求項３２】
前記指部（２２）を一緒に動かすと共に、これら指部（２２）をさらに下方に動かすことにより、前記処理装置からバッグ（１０）を開放することを更に具備する請求項３０又は３１の方法。
【請求項３３】
第１の対の指部（２２）と第２の対の指部（２２）との間に規定されたバッグ受け領域内にバッグ（１０）を支持させることと、夫々の対の指部（２２）をバッグ（１０）の夫々の握り部の片間に挿入させるように、バッグに対して指部（２２）を内方に動かすこととを更に具備する請求項２０乃至３２のいずれか１の方法。
【請求項３４】
請求項２０乃至３３のいずれか１に従って、ベスト型のバッグ（１０）を自動的に処理することを含む、物品をベスト型のバッグ（１０）中にパッキングする方法。
【請求項３５】
請求項３４の方法に従って、物品がベスト型のバッグ（１０）中にパッキングされるパッキング設備。
【請求項３６】
物品をベスト型のバッグ（１０）中にパッキングする方法であって、この方法は、
（ａ）自動化バッグ処理装置を提供することと、前記バック処理装置は指部対を備え、各指部対は２つの指部を備え、各指部対の指部は前記バッグ（１０）の握り部に挿入され、
（ｂ）ベスト型のバッグ（１０）を前記自動化バッグ処理装置に連続して供給することと、前記バッグ（１０）は空で閉じた形態で供給され、前記バッグは２つの握り部（１４）を備え、前記握り部はループ形状をしており、前記ループは前記握り部（１４）の一端部で接続された２つの片を備え、前記処理装置の各指部対の前記指部は各握り部の片の部分のバッグ開口方向へ離れて移動するように配置され、
（ｃ）開いた形態の前記ベスト型のバッグ（１０）を支持するように構成されたコンテナ（１６）を、前記自動化バッグ処理装置に順次供給することと、を具備し、
前記自動化バッグ処理装置は、各バッグ（１０）に対して以下の処置をするように構成され、
（ｉ）前記バッグ（１０）を自動的に開口させる、
（ｉｉ）コンテナ（１６）がバッグ（１０）を開いた形態で支持するように、開いたバッグ（１０）をコンテナ（１６）中に自動的に配置させる、
この方法は、更に、
（ｄ）支持され、開かれたバッグ（１０）を含んだコンテナ（１６）を、１つのパッキングステーションへ、又は、複数のパッキングステーション間へと移動させることと、
（ｅ）バッグ（１０）がコンテナ（１６）内に支持された状態で、１つのパッキングステーション、又は、各パッキングステーションで、開かれたバッグ（１０）に１もしくは複数の物品を供給することと、
（ｆ）前記１もしくは複数の物品を含んだバッグ（１０）を、コンテナ（１６）から取り出すことと、を具備し、
処置（ｉ）において
前記握り部（１４）のループ中に押しプレートを挿入すること、前記握り部を張るように引っ張り、かつ、握り部（１４）の側部を前記バッグの開口方向に拘束するように、前記押しプレートを前記バッグの開口方向に実質的に垂直な方向に動かすこと、
を特徴とする方法。
【請求項３７】
前記（ａ）は、請求項１乃至１７のいずれか１の自動化バッグ処理装置を提供することを含む請求項３６の方法。
【請求項３８】
前記自動化バッグ処理装置は、請求項２０乃至３３のいずれか１の方法に従って前記処置（ｉ）及び（ｉｉ）を果たすように構成されている請求項３６又は３７の方法。
【請求項３９】
前記（ｄ）の前に、同じコンテナ（１６）中に複数のバッグ（１０）を自動的に配置させることを更に具備する請求項３６乃至３８のいずれか１の方法。
【発明の詳細な説明】
【技術分野】
【０００１】
この発明は、バッグ処理するための自動化装置に関する。特に、しかし、限定しないが、この発明は、食品雑貨のパッキング操作のように、工業規模で自動化されて食品を処理する操作の一部として、プラスチックのベスト型バッグを開口させておくための装置に関する。また、この発明は、上記バッグを処理する関連した自動化方法、並びに自動的にバッグを処理することを含んだパッキング処理に関する。
【０００２】
本願発明の背景
注文された食品が、貯蔵施設又は貯蔵所内の貯蔵場所から取り出され、顧客に渡さすために、コンテナの中へとパッキングされるピッキング／パッキングプロセス（picking and packing process）は、多くの産業において良く知られている。特に、オンラインでの食品雑貨の小売部門では、急速に進展しており、効率を高め、注文品の所望のスループットを達成するために、プロセスの一部の自動化に依存する傾向が高くなっている。
【０００３】
代表的なオンラインでの注文される食品雑貨は、各々が異なる形状、サイズ、重量、もろさ、及び、破損し易さを有している多数の異なる製品を含んでいるであろう。これら製品は、顧客に渡すために、適当なパッケージの中に注意深く詰められなければならない。この目的のために、ブラスチックフイルム材でできたベスト型のキャリアバッグが、一般に使用されている。なぜならば、このようなバッグは、低価格でスペース効率が優れ、代表的な食品雑貨の注文での異なる物品のほとんどを保持するのに適しているからである。更に、この形式のバッグは、一体的な握り部を有している。このような握り部は、顧客への受け渡しのための部分として、満たされたバッグを携帯するのに都合が良いばかりではなく、例えば、注文されたパッキングシステムで物品をピッキングしてパッキングするために、コンテナ内に複数のバッグをしっかりと配置して保持させることを可能にしている。
【０００４】
注文に対する準備の間に、バッグが、これらバッグの中へ物品を詰める、即ち、落下させることを容易にするように、製造ラインの配備の所定の場所で、開かれて維持されることを確実にすることが、度々必要であり、また効果的である。例えば、このような場所は、この分野では、貯蔵所内の場所間でコンベアベルトもしくは貯蔵所内の他の手段により搬送されて、顧客に渡すバンの上に配置される運搬物(tote)として知られている硬い壁のボックスや箱のようなコンテナの内部であり得る。代わって、バッグは、物品が加えられ得る取り出し場所の静止ラックの上、もしくはバッグを１もしくは複数の詰める場所を通るように動かすコンベアの上に開口されて保持され得る。
【０００５】
バルク食品のためのパッキングプロセスの一部としてのプラスチックバッグの開口と、詰めと、シールとは、良く確立された技術ではあるが、自動化システムでの、握り部を備えたプラスチックのベスト型のキャリアバッグの処理は、知られていない。特に、オンラインでの食品雑貨の小売動作の効率を高めるように望まれた形式の高いスループットで工業規模のプロセスでの前記形式のバッグの自動的な処理に、既知の技術を適用させようとしたときに、重大な挑戦が存在している。１つの特別な挑戦は、信頼性のある自動操作技術を困難にしているプラスチックのベスト型のキャリアバッグの弱い構造的な性質に対してである。
【０００６】
このような背景に対して、高いスループットでの工業規模のプロセスの使用に適した自動化システムで、バッグ、特にベスト型のキャリアバッグを取り扱い、開口し、位置付けることの可能な装置を提供することが望まれている。
【発明の概要】
【０００７】
本願発明は、続いた詰めのための所定の位置に開口状態を保つようにして、ベスト型のバッグを開口し、位置付けるための自動化装置のための幾つかの構成要素を開示している。
【０００８】
本願発明の一態様に係われば、各々が少なくとも１つの握り部を有し、前記握り部が一端部で接続された２つの片により構成されたループの形状をしている複数のベスト型のバッグを、自動的なパッキングプロセスで、自動的に処理するための装置であって、この装置は、互いに平行に延びた少なくとも２つの指部を具備し、これら指部は、バッグの開口方向に沿った指部間のスペースを広げるように互いに離れる方向に移動するように配設されており、前記装置は、前記指部を、握り部の前記片間に挿入し、そして、指部を、バッグの開口方向で引き離すように動かして、バッグの開口方向で握り部の前記片を互いに離すように配設されている装置が提供される。
【０００９】
この発明の好ましい例では、食料雑貨品のような物品をパッキングするための自動化プロセスの状況のもとで使用されるけれども、本願発明は、このような内容に限定されるものではない。
【００１０】
本願発明の好ましい例では、この装置は、フイルム材の２つのシートにより形成され、硬くないない形態を有するベスト型のバッグを取り扱うように構成されている。このようなバッグは、食料雑貨品等をパッキングして、搬送するために、スーパマーケットで通常見受けられる。
【００１１】
効果的には、この装置は、自動的な取扱いを可能にするように、開口されたバッグを一次的に剛性にするように構成され得る。バッグに適用された一次的な剛性は、比較的便利な剛性のパッキングと同様に取り扱われ得る。このことは、箱のようなコンテナ内にバッグを位置付けることを可能にしている。このようなコンテナは、非剛性のバッグのためのフレームとして機能し、バッグが、バッグが支持されて潰れないであろう物品で満たされるときまで、剛性は維持される。
【００１２】
かくして、他の用語での表現では、本願発明は、フイルム材の２つのシートにより形成され、非剛性の形態を有するバッグを処理するための装置を提供し、この装置は、互いに平行に延びた少なくとも２つの指部と、これら指部を動かすための駆動手段とを具備し、この駆動手段は、前記２つのシート間に指部を挿入させると共に、バッグの自動的な取扱いを可能にするように、バッグに一次的な剛性を与えるような位置及び向きへと指部を動かすように配置されている。
【００１３】
この装置は、効果的には、前記握り部の各々の片と係合するための吸引手段を有している。この吸引手段は、前記指部が挿入される前に、握り部の各片を掴んで片相互を引き離すように構成されている。
【００１４】
この装置は、好ましくは、２つのシートが実質的に近接して、バッグが、物品を受け入れられない形態の時に、前記指部を挿入し、また、前記２つのシートが実質的に離されても物品を受け入れるように開いている開口形態へと、バッグをもたらすように指部相互を離すように構成されている。
【００１５】
バッグの開口方向への指部の移動は、剛性の第１の面を与える。この装置は、更に、前記第１の面の剛性とは異なる第２の面の剛性を与えるように、指部の向きをかえるように構成され得る。このことは、この装置によるバッグの続く自動的な取扱いにより信頼性をもたらすように、バッグの一次的な剛性をより高める。
【００１６】
従って、本願発明の好ましい実施の形態では、前記指部は、指部が握り部中に挿入される第１のポジションと、指部が前記握り部のループをバッグから外方に引っ張る第２のポジションとの間で、移動可能である。前記第１のポジションは、前記第２のポジションに対して実質的に垂直である。前記第１のポジションと第２のポジションとの両方は、バッグの開口方向に対して好ましくは実質的に垂直であるか、また、バッグの開口方向に実質的に垂直な面内にある。この発明の好ましい実施の形態では、前記第１のポジションは、ほぼ水平なポジションであり、また、前記第２のポジションは、ほぼ垂直なポジションである。前記指部は、前記バッグの開口方向に実質的に平行に延びている軸を中心として、前記第１のポジションと第２のポジションとの間で回動可能である。
【００１７】
この装置は、前記指部が装着された回動可能な部分を有するキャリッジを有し得る。このキャリッジは、更に、前記回動可能な部分に接続され、この装置の案内部材のカムトラックと共働するローラを有し得、前記カムトラックは、前記案内部材に沿った前記キャリッジの移動が、前記第１のポジションから第２のポジションへの前記指部の回動を生じさせるように、配設されている。
【００１８】
この装置は、更に、前記指部の下方への動きにより、コンテナ方向にバッグを下降させるように構成され得る。効果的には、第１のポジションから第２のポジションへの指部の動きは、下方への動きによりなされ得る。
【００１９】
前記指部の向きが変更される場合、例えば、指部が、第１のポジションから第２のポジションへ動かされるときに、非剛性の小さい領域が、バッグの構造に形成され得る。好ましくは、この装置は、前記非剛性の小さい領域の所に、一次的な剛性構造を与えるように、バッグと係合するための更なる手段を与えるように構成されている。このような係合手段は、前記非剛性の小さい領域に近づくように動き得る押しプレートの形態を便利にはとり得る。これは、バッグの剛性の制御が、続く取扱いで最も重要であるバッグの握り部の領域とバッグの開口とで、特に重要である。
【００２０】
前記押しプレートもしくは他の係合手段は、握り部と、バッグの開口方向の握り部の強制された側部とにテンションをかけるように配設され得る。例えば、押しプレートは、夫々の握り部のルーブの中に挿入されて、握り部と、バッグの開口方向の握り部の強制された側部とにテンションをかけるように、バッグの開口方向に実質的に垂直な方向へと指部から離れるような移動され得る。前記押しプレートは、前記指部が前記第２のポジションにあるときに、夫々の握り部のルーブの中に挿入されて、指部から離れるように構成され得る。
【００２１】
上記方法で握り部を張ることは、コンテナ中へのバッグの続く配置を容易にする。例えば、バッグが開かれると、バッグを開らかれた形態で支持するように構成されたコンテナの中にバッグが配置され得る。コンテナは、コンテナのリムに設けられ得るスロットのような適当な凹所を有することができる。バッグの両側部は、これらスロットの中に挿入され得、これらスロットは、バッグが開いた形態コンテナ内に支持されるように、コンテナのリムに、互いに適当な間隔を開けて配置され得る。押しプレートもしくは他の手段により握り部を引っ張ることにより、握り部の両側部は、真っ直ぐにされ、コンテナの凹所中への挿入が容易になる。
【００２２】
開かれた形態のバッグは、これに関連した収容領域（footprint area）を占めることが可能である。この装置は、コンテナ中へのバッグの位置付けと、バッグからのコンテナの続く係合解除を可能にするように、前記収容領域の外側の位置へと指部を移動するように、好ましくは配置されている。収容領域の外側に指部を移動させることにより、係合の解除が容易となっている。また、装置により与えられる剛性は、コンテナの硬い壁により与えられる支持体にバッグを移動させることにより、維持され得る。
【００２３】
この装置は、更に、互いに離間して、間にバッグ受け領域を規定している第１及び第２の起立した脚部を有するフレームを有し得る。第１の対の指部が、前記第１の脚部に好ましくは装着、また、第２の対の指部が、前記第２の脚部に装着され得る。これら複数の脚部は、これら脚部をバッグに対して内方及び外方に動かすように、バッグの開口方向に実質的に平行に延びている夫々の軸を中心として回動するように、構成され得る。前記脚部の内方の動きにより、夫々の対の脚部は、各々がバッグの夫々の握り部の前記片間に、好ましくは、挿入される。
【００２４】
同じ発明の概念内で、上述した装置を有する、ベスト型のバッグの中に物品を詰めるためのパッキングラインが提供される。更に、この発明は、パッキング設備、例えば、上記パッキングラインを有する貯蔵所または他の注文のピッキング／パッキング設備にまで拡張している。例えば、前記バッグ処理装置は、自動的にバッグを開くために、またオプション的には、箱又は複数のバッグを開かれた形態で支持し、保つような他のコンテナの中に開かれたバッグを配置させるように、使用され得る。そして箱は、顧客の注文を満たすように、食料雑貨品のような物品がバッグの中に入れられ得るパッキングステーションへとパッキングラインに沿って搬送され得る。
【００２５】
この発明の第２の態様に係われば、各々が少なくとも１つの握り部を有し、前記握り部が一端部で接続された２つの片により構成されたループの形状をしている複数のベスト型のバッグを、自動的なパッキングプロセスで、自動的に処理するための方法であって、この方法は、自動化バッグ処理装置の少なくとも２つの指部を握り部の前記片間に挿入することと、前記指部を、バッグの開口方向で握り部の前記片相互を離すように、バッグの開口方向で互いに離すように移動させることと、を具備する方法が提供される。
【００２６】
この方法は、好ましくは、前記指部が片間に挿入する前に、吸引手段により握り部の前記片相互を引き離すことを更に具備する。
【００２７】
この方法は、好ましくは、バッグの自動化された取扱いを可能にするように、指部により開口されたバッグに一時的な剛性を与えることを具備する。
【００２８】
この方法は、バッグから握り部のループを外方に引っ張るように、指部を第１のポジションから第２のポジションへと移動させることを具備し得る。前記第１のポジションは、前記第２のポジションに対して実質的に垂直であり得る。この発明の好ましい実施の形態では、前記第１のポジションは、ほぼ水平なポジションであり、また、前記第２のポジションは、ほぼ垂直なポジションである。
【００２９】
この方法は、指部を第１のポジションと第２のポジションとの間で動かすために、前記バッグの開口方向に実質的に平行に延びている軸を中心として前記指部を回動させることを含み得る。
【００３０】
この方法は、前記指部を動かすことにより、開口した前記バッグをコンテナ中へと下方に動かすことを更に具備し得る。この指部の下方へ動かすことは、カム機構を介して前記第１のポジションから第２のポジションへ動かすことを果たし得る。
【００３１】
この方法は、前記握り部が張るように引っ張ることと、握り部の側部を前記バッグの開口方向に強制的に動かすこととを更に具備し得る。
【００３２】
この方法は、前記握り部のループ中に押しプレートを挿入することと、前記バッグの開口方向に実質的に垂直な方向で、前記指部から離れるように前記押しプレートを動かすこととを具備し得る。これは、前記握り部が張るように引っ張り、かつ、握り部の側部を前記バッグの開口方向に強制的に動かす機能を果たす。前記指部が、前記第２のポジションにあるときに、前記夫々の握り部のループ中に押しプレートを挿入することを具備し得る。
【００３３】
この方法は、開口した形態でバッグを支持するように構成されたコンテナの中に、開口したバッグを配置させることを具備し得る。この方法は、前記コンテナに形成された夫々り凹所中に、前記少なくとも１つの握り部の強制的に動かされた側部を挿入することを更に具備し得る。この方法は、前記複数の指部を一緒に動かすと共に、これら指部をさらに下方に動かすことにより、前記バッグ処理装置からバッグを開放することを具備し得る。
【００３４】
この方法は、第１の対の指部と第２の対の指部との間に規定されたバッグ受け領域内にバッグを支持させることと、夫々の対の指部をバッグの夫々の握り部の片間に挿入させるように、バッグに対して指部を内方に動かすこととを具備し得る。
【００３５】
この方法の概念は、上述した方法に従って自動化処理ベスト型のバッグを有する方法であって、食料雑貨品のような物品をベスト型のバッグ中にパッキングする方法である。この発明は、また、食料雑貨品のような物品がベスト型のバッグ中にパッキングされるパッキング設備を提供する。
【００３６】
この発明の第３の態様に係われば、食料雑貨品のような物品をベスト型のバッグ中にパッキングする方法であって、この方法は、
(a) 自動化バッグ処理装置を提供することと、
(b) 空で閉じた形態の複数のベスト型のバッグを、前記自動化バッグ処理装置に連続して供給することと、
(c) 各々が、開いた形態の複数のベスト型のバッグを支持するように構成された複数のコンテナを、前記自動化バッグ処理装置に順次供給することと、を具備し、
前記自動化バッグ処理装置は、各バッグに対して以下の処置をするように構成され、
(iii) バッグを自動的に開口させる、
(iv) コンテナがバッグを開いた形態で支持するように、開いたバッグをコンテナ中に自動的に配置させる、
また、この方法は、更に、
(d) 支持され、開かれたバッグを含んだコンテナを、１つのパッキングステーションへか、複数のパッキングステーション間へと移動させることと、
(e) バッグがコンテナ内に支持された状態で、１つのパッキングステーションか、各パッキングステーションで、開かれたバッグに１もしくは複数の物品を与えることと、
(f) 前記１もしくは複数の物品を含んだバッグを、コンテナから取り出すことと、を具備する方法が提供される。
【００３７】
この方法は、工程(d)の前に、同じコンテナ中に複数のバッグを配置することを含み得る。
【００３８】
好ましくは、この方法の工程(a)は、この発明の第１の態様に関連し、上述したような方法自動化バッグ処理装置を提供することを含む。しかし、他のバッグ処理装置が、他の新規で進歩性のある方法で、代わって使用され得る。
【００３９】
好ましくは、前記自動化バッグ処理装置は、この発明の前記第２の態様の方法に従って前記処置(i)及び(ii)を果たすように構成されている。しかし、他のバッグ処理技術が、他の新規で進歩性のある方法で、代わって使用され得る。
【００４０】
この発明の何れかの特別な態様に関連して、上述されたオプションの形態が、この発明の他の態様に、同様に適用され得る。
【００４１】
この発明の実施の形態が、添付図面を参照して例によってのみ以下に説明される。
【図面の簡単な説明】
【００４２】
【図１】図１は、ベスト型のバッグの概略図である。
【図２】図２（ａ）及び２（ｂ）は、図１に示された形式のバッグを保持するためのコンテナ、即ちトートの概略図である。
【図３】図３は、バッグの開口及び位置付け動作の連続した工程を示す、この発明の一実施の形態に係わるバッグ処理装置の概略的な側面図である。
【図４】図４は、バッグの開口及び位置付け動作の連続した工程を示す、この発明の一実施の形態に係わるバッグ処理装置の概略的な上面図である。
【図５】図５は、バッグの開口及び位置付け動作の連続した工程を示す、この発明の一実施の形態に係わるバッグ処理装置の概略的な正面図である。
【図６】図６（ａ）及び６（ｂ）は、図３乃至５のバッグ処理装置のバッグ開口装置の概略的な上面図である。
【図７】図７は、図３乃至５のバッグ処理装置のより詳細な図である。
【図８】図８は、図３乃至５のバッグ処理装置の案内部材の側面図である。
【図９】図９は、図３乃至５のバッグ処理装置の一部の斜視図である。
【図１０】図１０は、バッグの開口及び位置付け動作の更なる工程を示す、図３乃至５のバッグ処理装置の概略的な側面図を示す。
【図１１】図１１は、バッグの開口及び位置付け動作の１工程を示す、図３乃至５のバッグ処理装置の概略的な上面図である。
【図１２】図１２（ａ）及び１２（ｂ）は、夫々、バッグの開口及び位置付け動作の更なる工程を示す、図３乃至５のバッグ処理装置の概略的な側面図及び上面図である。
【発明を実施するための形態】
【００４３】
図１は、ベスト型のキャリアバッグ１０の一例を示す。このバッグ１０は、２つの薄いプラスチックフイルムにより形成されている。このバッグのほぼ矩形の本体部１２で、フイルムの層が使用に際して離されたときに、品物を受けて保持ための、上が開口された所定の容量のスペースを規定するように、前記層相互は、本体部１２の対向した両側部と底部とに沿って接続されている。各側部にある２つの握り部１４が、本体部１２の開口頂部から延出されている。各握り部１４は、握り部１４がループを形成するように分けられることが可能なよう、フイルムの層相互を上縁に沿ってのみ接続することにより形成されている。
【００４４】
この実施の形態では、図１に示された形式のベスト型のバッグ１０は、食品雑貨小売り動作での要求を充分に満たすためのシステムの自動化された工業規模の処理で使用されるために、ローラ上で平坦にして供給される。本実施の形態は、各握り部１４を形成している２つのフイルムの層を離し、また、バッグ１０の本体部１２を開くように層を離すように引っ張ることによりバッグ１０を開口させる装置を提供する。また、この装置は、コンテナ、即ち搬送体の中へ開口されたバッグ１０を、バッグの続く充填を顧客の要求を満足させることができるように、配置させる。
【００４５】
ベスト型のバッグ１０を使用する効果は、これが、顧客への受け渡しのための部分として、バッグを支持するために実質的に使用されるだけではなく、コンテナの中にバッグ１０がしっかりと配置され、かくして、注文のピッキングシステムでの製品のピッキング及びパッキングを容易にする。図２の２（ａ）は、開口上面と、硬い側壁１８と、底とを有する搬送体として知られている指定ピッキングコンテナ１６の一例を示す。この形式のコンテナ１６は、コンテナ１６が、自動化されたコンベアシステム等の上で搬送され得るので、大きいオーダピッキング処理中に回りで品物を移動させるための器具である。コンテナ１６は、各バッグ１０を開けた状態でコンテナ１６内に保持するための複数の鍵穴形状のスリット２０を上端に有し得る。図２の２（ｂ）は、スリット２０を詳細に示す。
【００４６】
この実施の形態は、図３乃至５を最初に参照して説明されるような機械的な指部２２によって、図２の２（ａ）に示された形式のコンテナ１６の中へ、図１に示された形式のベスト型のバッグ１０を挿入するための装置を有している。
【００４７】
プロセスは、図３及び４で工程１として示されている、１つのキャリアバッグ１０が、吸引装置の４つの吸引カップ２４が、握り部１４に適用されて、各握り部１４のフイルムの層相互が離される場所へと、ロールから供給されることから始まる。 これらバッグは、バッグ分配システム（図示されていない）により、時間ごとに装置に分配されるバッグが、与えられた平坦なバッグのスタックから交互に分配され得る。前記吸引カップは、「バッグ平面」とここでは称されている垂直面の両側に配置されている。コンテナ１６、即ち搬送体は、バッグ１０の下方の位置へと移動される。
【００４８】
前記吸引カップ２４は、バッグ広げ方向として知られている、バッグ平面に対して垂直な方向に僅かに広がるように握り部１４を引っ張る。この結果、バッグ１０の本体部１２は、握り部１４からほぼ垂直に下方に吊り下げられる。
【００４９】
前記吸引装置により握り部１４が、広げられると、バッグ１０を開口して所定の場所に位置付けるために、握り部１４の積極的な機械的制御を与えることが必要となる。これは、この実施の形態では、開かれた握り部１４中に（即ち、バッグの握り部の２つの引かれて離された部分間に）挿入され、そしてバッグ１０の充分で積極的な機械的制御を与えるように離間される複数の指部２２によりなされる。更に図６の６ａを参照すると、１つの可能な実施の形態では、前記指部２２は、前記バッグ平面に平行で、バッグの広がる方向に垂直な方向に、フレーム２６から水平方向内方に延びた細長いバー形状の部材を有している。合計４つの指部２２があり、これら指部２２は、フレームを横切って互いに対向して配設された２対で配設されている（１対の指部のみが、図６の６（ａ）に示されている）。これら指部２２は、バッグ開口方向で互いに離れるように一緒に摺動されるように配設されている。各指部２２の内端２８は、各対の２つの指部２２が、図６の６（ｂ）に示されているように、一緒に到達したときに、これらを、バッグ１０の握り部１４間に容易に挿入するために先端が尖った形状（挿入の方向に尖っている）となるように、成形されている。
【００５０】
図２及び３の工程２で示されているように、各対の指部２２は、バッグ１０の夫々の握り部１４により形成されたループの中に挿入される。このときの指部２２の内方への移動は、後述されるように、フレーム２６の移動によりなされる。
【００５１】
図７は、明確にするために吸引装置及び他の部材が省略された、バッグ１０及びコンテナ１６と共に、装置を示す正面図である。フレーム２６は、起立した脚部３０を有している。これら脚部３０は、コンテナ１６の両側でバッグの開口方向に平行な軸を中心として、夫々の基部３２のところで回動可能である。前記指部２２は、各脚部３０に対して垂直方向に上下可能なキャリッジ３４に装着されている。前記脚部３０は、バッグ１０に対して内方及び外方に移動するように、前記バッグ平面に平行（即ち、図７の面に平行）な平面内の回動軸を中心として回動可能である。
【００５２】
バッグ１０が所定の位置に移動されたときには、前記脚部３０は、これらの脚部３０の上部が外方に広げられた、引っ込み位置に維持されている（図示されず）。プロセスの工程２で、脚部３０は、指部２２を握り部１４のループ中に押すように、図７に示された位置へとアクチュエータ３６により内方に回動される。そして、バッグ１０が指部２２により吊り下げられるように、前記吸引カップ２４は、取り外される。
【００５３】
工程３で、各対の指部２２の各々は、握り部１４を開いた状態にするよう、伸ばすように、離される。即ち、これら指部２２は、図６の６（ｂ）に示された形態へと、互いに離れるように開口方向に移動される。前記指部２２の各々は、指部上にバッグの握り部１４を積極的に位置させて維持する助けをすると共に、指部２２から握り部１４が抜けるのを防止するフック形状部３８を有する。
【００５４】
再度、図３乃至５を参照すると、工程４で、両側が指部２２により支持されたバッグ１０は、コンテナ１６の方へと下方に移動される。このときに、各対の指部２２は、バッグの開口方向に対して平行に延びた自身の回動軸４０を中心としてほぼ９０度回動される。このようにして、指部２２は、ほぼ垂直に、即ち、起立状態になるように移動する。
【００５５】
前記指部２２は、前記キャリッジ３４が、下方に移動するのに従って、自動的に前記起立状態へと移動する。適当な手段が、このような動作を果たさせるために使用され得る。この発明の一実施の形態では、前記指部２２の移動は、キャリッジ３４の下方への移動により駆動されるカム機構を使用することにより制御される。このようなカム機構の好ましい例が、図８及び９に示されている。図８に最も明らかに示されている案内部材４２は、フレームの各脚部３０に沿って垂直に位置されている。案内部材４２は、ほぼ垂直な上側部分４４ａとほぼ垂直な下側部分４４ｂとを有する通路に沿ってローラ４６を案内するためのカムトラック４４を有している。前記ほぼ垂直な上側部分４４ａと下側部分４４ｂとは、垂直に対して所定角度を有して延びている、カムトラック４４の中間部分４４ｃにより接続されている。前記上側部分４４ａと下側部分４４ｂとは、上側部分４４ａが下側部分４４ｂよりもバッグ１０の近くにあるように、オフセットされている。
【００５６】
図９に示されているように、前記ローラ４６は、前記カムトラック４４と係合している。このローラ４６は、前記指部（図９には示されていない）が設けられたプレート４８に複数のリンクにより接続されるように、前記キャリッジ３４に装着されている。前記プレート４８は、前記バッグの開口方向に延びた軸を中心として回動可能である。前記ローラ４６は、リンク５２により駆動シャフト５０に、カムトラック４４が下方に移動するのに従って、駆動シャフト５０が回動するように、接続されている。前記駆動シャフト５０は、適当なアクチュエータ（図示されていない）により垂直方向に駆動されるキャリッジ３４の所定位置に装着されている。
【００５７】
更なるリンク５４，５６が、ローラ４６とは反対側の駆動シャフト５０の端部を前記プレート４８に、ローラ４６がカムトラック４４に沿って下方に移動するのに従って、駆動シャフト５０の回動により、プレート４８が水平の向きから垂直の向きへと移動するように、接続している。１対の指部２２と、これら指部２２を、一緒に、離れるように移動させる関連した機構とは、プレート４８にほぼ平行にプレート４８に装着されている。この結果、キャリッジ３４の下方への移動により、指部２２は、これらの起立位置に動かされる。図９は、図７に示された装置の左後ろ側で使用されるカム機構を示し、駆動シャフト５０は、左側の対の指部２２を起立位置へと回動させるように、キャリッジ３４が下方に移動するのに従って、反時計方向に回動する。また、対応したミラーイメージのカム機構（図示されていない）が、図７の装置の右後ろ側に設けられている。
【００５８】
前記指部２２が、工程４での起立位置に動かされたときには、握り部１４は、コンテナ１６と係合できるように、握り部１４を完全に放すように、伸ばされている。このことは、指部の回動が、握り部を、握り部１４の一側端縁５７aが比較的しっかりと張られ、他側端縁５７bが比較的緩くなっている位置へと動かすので、有益である。次に、工程５（図４及び５に示す）で、押しプレート５８が、指部２２により形成された握り部１４のギャップ中に挿入される。これら押しプレート５８は、完全に開口した形態に伸ばすように、即ち、握り部１４の前記端縁５７aを形成するように互いに向かって内方に押される。このときに、前記端縁５７aは、張られるように、少し緩んでいる。押しプレート５８の動作の詳細が、バッグ１０の左側の握り部１４を示している図１０及び１１に示されている。押しプレート５８は、適当な機構により握り部１４のループ中の垂直位置へと回動されるほぼ矩形のプレートである。押しプレート５８によるアクセスを可能にするために、握り部１４は、指部２２により開かれた状態が維持されている。次に、押しプレート５８は、握り部１４を延ばして、握り部の両側端縁５７が比較的張られることを確実にするように、側方（バッグの開口方向に垂直）に押される。
【００５９】
この位置で、握り部１４のプラスチックのフイルムは、ほぼ矩形に完全に伸ばされ、図１１の上面図で示されるように、精度よく規定された位置に維持される。前記押しプレート５８が、以下に説明されるように、コンテナ１６のリムの２０中への側部の挿入を容易にするように、握り部１４の側部５９が適度に張られて、バッグ開口位置に維持されることを確実にする、ことは、評価できるであろう。
【００６０】
バッグ１０が指部２２と押しプレート５８とにより充分に制御される状態の図５を再び参照すると、工程６で、バッグ１０は、コンテナ１６中へと下方移動されて、握り部１４の側部５９は、図１２の１２（a）及び１２（b）に示されているように、スリット２０中へと押される。指部２２は、コンテナ１６の側壁の外に維持されるが、押しプレート５８は、コンテナ１６の中に短い距離で下方に移動されている。このようにして、握り部１４の側部５９は、コンテナ１６のリムに形成されたスリット２０中に案内される。
【００６１】
工程７で、握り部１４がコンテナ１６のスリット２０と係合した状態で、バッグ１０がコンテナ１６中に位置されているときにも押しプレート５８は、持ち上げられて除去され、また、指部２２は、一緒になって、バッグの開口方向とは反対方向に動かされ、指部２２は、握り部１４との係合が解除される。そして、指部２２は、コンテナ１６かせ装置を完全に係合解除させるように、更に下方に移動される。かくして、バッグ１０は、コンテナ１６内の規定された装着位置とへと充分に挿入される。
【００６２】
プロセスの工程８（図示されていない）で、コンテナ１６は、コンベアベルトにより搬送され、他の空のコンテナ１６と交換される。フレームの脚部３０は、外方に動かされ、またキャリッジ３４は、上方に移動されて、装置は、これの初期位置に戻される。上述したプロセスは、繰り返えされて、バッグ１０は、新たなコンテナ１６の中に配置される。
【００６３】
前記装置は、複数のバッグを１つのコンテナ１６内に配置するように構成され得る。最初のバッグが、コンテナ内の第１の場所に配置され、そして、コンテナ１６は、他の位置に移動されて、同じようにして次のバッグが第２の場所に挿入され得る。そして、これら工程は、コンテナ内に更なる複数のバッグを配置するように繰り返される。上記実施の形態では、４対のスリット２０がコンテナ１６のリムに設けられて、３つのバッグ１０が、隣り合ったバッグが、コンテナ内で同じ間隔で離れるようにして、１つのコンテナ１６内に支持され得る。しかし、このようなコンテナとプロセスとは、必要に応じて、これよりも多いか少ないコンテナを支持するように、容易にデザインされ得るであろう。本実施の形態のバッグ詰めのプロセスの自動的な形態は、この装置により精度よく取り扱われる１分当たり１０のバッグのバッグ詰め率を可能にしている。
以下に、本願出願の当初の特許請求の範囲に記載された発明を付記する。
［１］  各々が少なくとも１つの握り部を有し、前記握り部が一端部で接続された２つの片により構成されたループの形状をしている複数のベスト型のバッグを、自動的なパッキングプロセスで、自動的に処理するための装置であって、この装置は、互いに平行に延びた少なくとも２つの指部を具備し、これら指部は、バッグの開口方向に沿った指部間のスペースを広げるように互いに離れる方向に移動するように配設されており、
前記装置は、前記指部を握り部の前記片間に挿入し、そして、指部をバッグの開口方向で離すように動かして、バッグの開口方向で握り部の前記片を互いに離すように配設されている装置。
［２］  前記握り部の各々の片と係合するための吸引手段を更に具備し、この吸引手段は、前記指部が挿入される前に、前記片を離すように握り部の各片を掴むように構成されている［１］の装置。
［３］  この装置は、フイルム材の２つのシートで構成され、剛性でない形状を有するベスト型のバッグを処理するように構成されている［１］又は［２］の装置。
［４］  この装置は、前記２つのシートが実質的に近接し、バッグが、物品を受け入れられない形態の時に、前記指部を挿入し、また、前記２つのシートが実質的に離されても物品を受け入れるように開いている開口形態へと、バッグをもたらすように指部相互を離すように構成されている［３］の装置。
［５］  この装置は、自動的な取扱いが可能なように、開いているバッグに一時的な剛性を与えるように構成されている［１］乃至［４］のいずれか１の装置。
［６］  前記複数の指部は、指部が握り部中に挿入されている第１のポジションと、指部が前記握り部のループをバッグから外方に引っ張っている第２のポジションとの間で、移動可能である［１］乃至［５］のいずれか１の装置。
［７］  前記第１のポジションは、前記第２のポジションに対して実質的に垂直である［６］の装置。
［８］  前記第１のポジションは、ほぼ水平なポジションであり、また、前記第２のポジションは、ほぼ垂直なポジションである［６］又は［７］の装置。
［９］  前記指部は、前記バッグの開口方向に実質的に平行に延びている軸を中心として、前記第１のポジションと第２のポジションとの間で回動可能である［６］乃至［８］のいずれか１の装置。
［１０］  前記指部が装着された回動可能な部分を有するキャリッジを具備する［９］の装置。
［１１］  前記キャリッジは、更に、前記回動可能な部分に接続され、この装置の案内部材のカムトラックと共働するローラを有し、前記カムトラックは、前記案内部材に沿った前記キャリッジの移動が、前記第１のポジションから第２のポジションへの前記指部の回動を生じさせるように、配設されている、［１０］の装置。
［１２］  この装置は、前記指部の下方への動きにより、バッグをコンテナの方向である下方へと動かすように配置されており、第１のポジションから第２のポジションへの前記指部の動きは、前記下方への動きによりなされる、［６］乃至［１１］のいずれか１の装置。
［１３］  前記握り部を引っ張って、握り部の側部を前記バッグの開口方向に強制的に動かすための手段を更に具備する［１］乃至［１２］のいずれか１の装置。
［１４］  夫々の握り部のループの中への挿入のための少なくとも１つの押しプレートを具備し、前記押しプレートは、握り部を引っ張ってこれの側部をバッグの開口方向に強制的に動かすように、バッグの開口方向に実質的に垂直な方向で前記指部から離れるように、移動可能である、［１］乃至［１３］のいずれか１の装置。
［１５］  前記押しプレートは、夫々の握り部がループ中に挿入され、指部が前記第２のポジションにあるときに、指部から離れるように移動されるように構成されている［６］乃至［１３］のいずれか１に従属した［１４］の装置。
［１６］  この装置は、バッグを開いた形状で支持するように構成されて、コンテナ内に開いたバッグを配置させるように、更に構成されている［１］乃至［１５］のいずれか１の装置。
［１７］  この装置は、コンテナの規定された複数の凹所中に前記少なくとも１つの握り部の側部を挿入するように構成されている［１３］乃至［１５］のいずれか１に従属した［１６］の装置。
［１８］  互いに離間して、間にバッグ受け領域を規定している起立した第１及び第２の脚部を有するフレームと、
前記第１の脚部に装着された第１の対の指部と、
前記第２の脚部に装着された第２の対の指部と、を具備し、
前記複数の脚部は、これら脚部をバッグに対して内方及び外方に動かすように、バッグの開口方向に実質的に平行に延びている夫々の軸を中心として回動するように、構成され、また、前記脚部の内方の動きにより、夫々の対の指部は、各々がバッグの夫々の握り部の前記片間に挿入される［１］乃至［１７］の何れかの装置。
［１９］  ［１］乃至［１８］のいずれか１の装置を具備するベスト型のバッグの中に物品を詰めるためのパッキングライン。
［２０］  ［１９］のパッキングラインを具備するパッキング設備。
［２１］  各々が少なくとも１つの握り部を有し、前記握り部が一端部で接続された２つの片により構成されたループの形状をしている複数のベスト型のバッグを、自動的なパッキングプロセスで、自動的に処理するための方法であって、この方法は、
自動化バッグ処理装置の少なくとも２つの指部を握り部の前記片間に挿入することと、
前記指部を、バッグの開口方向で握り部の前記片相互を離すように、バッグの開口方向で互いに離すように移動させることと、を具備する方法。
［２２］  前記指部が片間に挿入する前に、吸引手段により握り部の前記片相互を引き離すことを更に具備する［２１］の方法。
［２３］  バッグの自動化された取扱いを可能にするように、指部により開口されたバッグに一時的な剛性を与えることを具備する［２１］又は［２２］の方法。
［２４］  バッグから握り部のループを外方に引っ張るように、指部を第１のポジションから第２のポジションへと移動させることを具備する［２１］乃至［２３］の何れかの方法。
［２５］  前記第１のポジションは、前記第２のポジションに対して実質的に垂直である［２４］の方法。
［２６］  前記第１のポジションは、ほぼ水平なポジションであり、また、前記第２のポジションは、ほぼ垂直なポジションである［２４］又は［２５］の方法。
［２７］  指部を第１のポジションから第２のポジションへと移動させることは、前記バッグの開口方向に実質的に平行に延びている軸を中心として前記指部を回動させることを含む［２４］乃至［２６］のいずれか１の方法。
［２８］  前記指部を動かすことにより、開口した前記バッグをコンテナ中へと下方に動かすことを更に具備し、この指部の下方へ動かすことは、カム機構を介して前記第１のポジションから第２のポジションへ動かすことを果たす［２４］乃至［２７］のいずれか１の方法。
［２９］  前記握り部が張るように引っ張ることと、握り部の側部を前記バッグの開口方向に強制的に動かすこととを更に具備する［２１］乃至［２８］のいずれか１の方法。
［３０］  前記握り部のループ中に押しプレートを挿入することと、前記握り部が張るように引っ張り、かつ、握り部の側部を前記バッグの開口方向に強制的に動かすように、前記バッグの開口方向に実質的に垂直な方向で、前記指部から離れるように前記押しプレートを動かすこととを具備する［２１］乃至［２９］のいずれか１の方法。
［３１］  前記指部が、前記第２のポジションにあるときに、前記夫々の握り部のループ中に押しプレートを挿入することとを具備する［２４］乃至［２９］のいずれか１に従属した［３０］の方法。
［３２］  開口した形態でバッグを支持するように構成されたコンテナの中に、開口したバッグを配置させることを更に具備する［２１］乃至［３１］のいずれか１の方法。
［３３］  前記コンテナに形成された夫々の凹所中に、前記少なくとも１つの握り部の強制的に動かされた側部を挿入することを更に具備する［３２］の方法。
［３４］  前記複数の指部を一緒に動かすと共に、これら指部をさらに下方に動かすことにより、前記バッグ処理装置からバッグを開放することを更に具備する［３２］又は［３３］の方法。
［３５］  第１の対の指部と第２の対の指部との間に規定されたバッグ受け領域内にバッグを支持させることと、夫々の対の指部をバッグの夫々の握り部の片間に挿入させるように、バッグに対して指部を内方に動かすこととを更に具備する［２１］乃至［３４］のいずれか１の方法。
［３６］  ［２１］乃至［３５］のいずれか１の方法に従って、自動化処理ベスト型のバッグを具備する方法であって、食料雑貨品のような物品をベスト型のバッグ中にパッキングする方法。
［３７］  ［３６］の方法に従って、食料雑貨品のような物品がベスト型のバッグ中にパッキングされるパッキング設備。
［３８］  食料雑貨品のような物品をベスト型のバッグ中にパッキングする方法であって、この方法は、
(a) 自動化バッグ処理装置を提供することと、
(b) 空で閉じた形態の複数のベスト型のバッグを、前記自動化バッグ処理装置に連続して供給することと、
(c) 各々が、開いた形態の複数のベスト型のバッグを支持するように構成された複数のコンテナを、前記自動化バッグ処理装置に順次供給することと、を具備し、
前記自動化バッグ処理装置は、各バッグに対して以下の処置をするように構成され、
(iii) バッグを自動的に開口させる、
(iv) コンテナがバッグを開いた形態で支持するように、開いたバッグをコンテナ中に自動的に配置させる、
この方法は、更に、
(d) 支持され、開かれたバッグを含んだコンテナを、１つのパッキングステーションへか、複数のパッキングステーション間へと移動させることと、
(e) バッグがコンテナ内に支持された状態で、１つのパッキングステーションか、各パッキングステーションで、開かれたバッグに１もしくは複数の物品を与えることと、
(f) 前記１もしくは複数の物品を含んだバッグを、コンテナから取り出すことと、を具備する方法。
［３９］  前記(a)は、［１］乃至［１８］のいずれか１の自動化バッグ処理装置を提供することを含む［３８］の方法。
［４０］  前記自動化バッグ処理装置は、［２１］乃至［３５］のいずれか１の方法に従って前記処置(i)及び(ii)を果たすように構成されている［３８］又は［３９］の方法。
［４１］  前記(d)の前に、同じコンテナ中に複数のバッグを自動的に配置させることを更に具備する［３８］乃至［４０］のいずれか１の方法。
【図１】
0006309532.tif 000002
【図２】
0006309532.tif 000003
【図３】
0006309532.tif 000004
【図４】
0006309532.tif 000005
【図５】
0006309532.tif 000006
【図６】
0006309532.tif 000007
【図７】
0006309532.tif 000008
【図８】
0006309532.tif 000009
【図９】
0006309532.tif 000010
【図１０】
0006309532.tif 000011
【図１１】
0006309532.tif 000012
【図１２】
0006309532.tif 000013